(57)【要約】【課題】固定枠体や案内兼用固定枠体のビス取付部等にガタが生じないようにする。【解決手段】伸縮自在に組み合わされた一対の足場板本体２，３からなり、一方の足場板本体２の足場板部材が他方の足場板本体３の足場板部材間に足場板長さ方向に相対移動自在に配置され、各足場板本体２，３の足場板部材足場板部材の長さ方向外端部は固定枠体９，１０に固定され、各足場板本体２，３の足場板部材の長さ方向内端部は、相手方の足場板本体の足場板部材を内側に通して案内する案内兼用固定枠体１１，１２に固定された伸縮式足場板において、各足場板部材の上下各側面に、凹条部ｂと凸条部ａとを足場板部材長さ方向全長に亘って条設し、固定枠体９，１０及び案内兼用固定枠体１１，１２に、各足場板部材の上下側面が当接する上下各壁部１４に、足場板部材の凹条部ｂ及び凸条部ａと凹凸係合する凸条部Ａ及び凹条部Ｂを形成してなる伸縮式足場板１。【選択図】図３
2008008100.tif 000002
【特許請求の範囲】
【請求項１】
伸縮自在に組み合わされた一対の足場板本体からなり、各足場板本体は足場板幅方向に一定間隔をおいて互いに平行に配置された複数の足場板部材を有し、一方の足場板本体の足場板部材が他方の足場板本体の足場板部材間に足場板長さ方向に相対移動自在に配置され、各足場板本体の足場板部材の長さ方向外端部は固定枠体に固定され、各足場板本体の足場板部材の長さ方向内端部は、相手方の足場板本体の足場板部材を内側に通して案内する案内兼用固定枠体に固定され、前記固定枠体及び案内兼用固定枠体は夫々上下壁部及び左右壁部によって矩形枠状に形成されている伸縮式足場板において、各足場板部材の上下各側面には凹条部と凸条部とを足場板部材長さ方向全長に亘って条設し、固定枠体及び案内兼用固定枠体には、固定される各足場板部材の上下側面が当接する上下各壁部の内面所要部に、足場板部材の凹条部及び凸条部と凹凸係合する凸条部及び凹条部を形成してなることを特徴とする伸縮式足場板。
【請求項２】
固定枠体及び案内兼用固定枠体には、夫々左右壁部の中間部に上壁部と下壁部とをつなぐ補強用支持壁部が設けられていることを特徴とする請求項１に記載の伸縮式足場板。
【発明の詳細な説明】
【技術分野】
【０００１】
本発明は、建築現場その他の作業場所での足場に使用される伸縮式足場板に関するものである。
【背景技術】
【０００２】
従来この種の伸縮式足場板は、伸縮自在に組み合わされた一対の足場板本体からなり、各足場板本体は足場板幅方向に一定間隔をおいて互いに平行に配置された複数の足場板部材を有し、一方の足場板本体の足場板部材が他方の足場板本体の足場板部材間に足場板長さ方向に相対移動自在に配置され、各足場板本体の足場板部材の長さ方向外端部は、矩形枠状の固定枠体にビスやリベットで固定され、各足場板本体の足場板部材の長さ方向内端部は、相手方の足場板本体の足場板部材を内側に通して案内する案内兼用固定枠体にビスやリベットで固定されている。
【発明の開示】
【発明が解決しようとする課題】
【０００３】
従来の伸縮式足場板では、上記のように、各足場板本体の足場板部材の長さ方向外端部は、矩形枠状の固定枠体にビスやリベットで固定され、各足場板本体の足場板部材の長さ方向内端部は、相手方の足場板本体の足場板部材を内側に通して案内する矩形枠状の案内兼用固定枠体にビスやリベットで固定されているが、伸縮式足場板の使用中に足場板の上を歩いたり作業したりする作業員の荷重によって、各足場板本体の足場板部材には足場板幅方向の力がビスやリベットを介して作用し、しかしてそのような足場板幅方向の力が繰り返されることによって、足場板部材のビス取付部やリベット取付部にガタが生じたり、その取付部が破損するなどの不都合があった。
【０００４】
本発明は、各足場板本体の足場板部材に足場板幅方向の力が度々また繰り返し作用しても、固定枠体や案内兼用固定枠体のビス取付部やリベット取付部にガタ生じたり、その取付部が破損したりするようなことがなく、耐久性に優れ、使用寿命を延ばすことができる伸縮式足場板を提供することを目的とする。
【課題を解決するための手段】
【０００５】
上記課題を解決するための手段を、後述する実施形態の参照符号を付して説明すると、請求項１に係る発明は、伸縮自在に組み合わされた一対の足場板本体２，３からなり、各足場板本体２，３は足場板幅方向に一定間隔をおいて互いに平行に配置された複数の足場板部材４，５，６，７，８を有し、一方の足場板本体２の足場板部材４，５，５，５，５が他方の足場板本体３の足場板部材６，７，７，７，８間に足場板長さ方向に相対移動自在に配置され、各足場板本体２，３の足場板部材足場板部材４，５，６，７，８の長さ方向外端部は固定枠体９，１０に固定され、各足場板本体２，３の足場板部材の長さ方向内端部は、相手方の足場板本体の足場板部材を内側に通して案内する案内兼用固定枠体１１，１２に固定され、固定枠体９，１０及び案内兼用固定枠体１１，１２は夫々上下壁部１４，１４及び左右壁部１５，１５によって矩形枠状に形成されている伸縮式足場板において、各足場板部材４，５，６，７，８の上下各側面には凹条部ｂと凸条部ａとを足場板部材長さ方向全長に亘って条設し、固定枠体９，１０及び案内兼用固定枠体１１，１２には、固定される各足場板部材の上下側面が当接する上下各壁部１４の内面所要部に、足場板部材の凹条部ｂ及び凸条部ａと凹凸係合する凸条部Ａ及び凹条部Ｂを形成してなることを特徴とする。
【０００６】
請求項２は、請求項１に記載の伸縮式足場板において、固定枠体９，１０及び案内兼用固定枠体１１，１２には、夫々左右壁部１５，１５の中間部に上壁部１４と下壁部１４とをつなぐ補強用支持壁部１６が設けられていることを特徴とする。
【発明の効果】
【０００７】
上記解決手段による発明の効果を、後述する実施形態の参照符号を付して説明すると、請求項１に係る発明によれば、伸縮式足場板１の使用中に、足場板１の上を歩いたり作業したりする作業員の荷重等によって各足場板本体２，３の固定枠体９，１０や案内兼用固定枠体１１，１２に足場板幅方向の水平力が繰り返し作用しても、その水平力は、固定枠体９，１０や案内兼用固定枠体１１，１２側の凸条部Ａ及び凹条部Ｂと、これに凹凸係合する足場板部材４，５，６，７，８側の凹条部ｂ及び凸条部ａとにより受け止められるから、足場板部材４，５，６，７，８のビス取付部やリベット取付部等にガタが生じたり、その取付部が破損するなどの不都合がない。
【０００８】
請求項２に係る発明によれば、固定枠体９，１０及び案内兼用固定枠体１１，１２に、夫々左右壁部１５，１５の中間部に上壁部１４と下壁部１４とをつなぐ補強用支持壁部１６が設けてあるから、伸縮式足場板１の使用中に固定枠体９，１０及び案内兼用固定枠体１１，１２にかかる上下方向に荷重や足場板幅方向の荷重で固定枠体９，１０及び案内兼用固定枠体１１，１２が変形したり、破損するようなことがなく、使用寿命を延ばすことができる。
【発明を実施するための最良の形態】
【０００９】
以下に本発明の好適な実施形態を図面に基づいて説明すると、図１の(a) は本発明に係る伸縮式足場板１の斜視図、(b) は同伸縮式足場板１の平面図であり、図２は図１の(b)
のＸ−Ｘ線拡大断面図、図３は図１の(b) のＹ−Ｙ線拡大断面図、図４は図１の(b) のＶ−Ｖ線拡大断面図、図５は図１の(b) のＷ−Ｗ線拡大断面図である。この伸縮式足場板１は、図１に示すように、足場板長さ方向に伸縮自在に組み合わされた一対の足場板本体２，３からなり、両足場板本体２，３は、足場板幅方向に一定間隔をおいて互いに平行に配置された、夫々５本ずつの合計１０本の足場板部材４，５，６，７，８からなるもので、一方の足場板本体２を構成する足場板部材４，５，５，５，５が、他方の足場板本体３を構成する足場板部材６，７，７，７，８相互間に足場板長さ方向に相対移動自在に配置されている。
【００１０】
また、図１〜図５から分かるように、一方の足場板本体２を構成する足場板部材４，５，５，５，５の長さ方向外端部は固定枠体９にビス１３により固定され、他方の足場板本体３を構成する足場板部材６，７，７，７，８の長さ方向外端部は固定枠体１０にビス１３により固定され、また一方の足場板本体２を構成する足場板部材４，５，５，５，５の長さ方向内端部は、他方の足場板本体３の足場板部材６，７，７，７，８を内側に通して案内する案内兼用固定枠体１１にビス１３により固定され、また他方の足場板本体３を構成する足場板部材６，７，７，７，８の長さ方向内端部は、一方の足場板本体２の足場板部材４，５，５，５，５を内側に通して案内する案内兼用固定枠体１２にビス１３により固定されている。
【００１１】
尚、固定枠体９，１０及び案内兼用固定枠体１１，１２への足場板部材６，７，７，７，８の固定は、リベットでもよい。
【００１２】
上記一対の足場板本体２，３を構成する全ての足場板部材４，５，６，７，８は、夫々アルミ押出型材からなり、これら全ての足場板部材４，５，６，７，８のうち足場板幅方向に関して最も外側にある二つの足場板部材４，８は、図６の(a) ，(b) に示すように、上下側壁部２１，２１と、両側壁部２１，２１をつなぐ底壁部２２と、各側壁部２１の先端部から内向きに略Ｌ字状に突設されたリップ部２３とによって溝形に形成されると共に、底壁部２２にはその幅方向中央部側に補強用凸条部２４が形成されており、しかしてこの足場板部材４，８の上下側面である上側壁部２１の上面及び下側壁部２１の下面には、夫々足場板部材長さ方向全長に亘って延びる凹条部ｂと凸条部ａが足場板部材幅方向に交互に連続して条設されている。
【００１３】
また、一方の足場板本体２の一部を構成する足場板部材５と、他方の足場板本体３の一部を構成する足場板部材７とは同じ断面形状のアルミ押出型材、即ち断面が縦長矩形状の角筒状型材により形成されたもので、この足場板部材５，７の拡大断面形状を図７の(a)
，(b) に示す。この足場板部材５，７は、上下側壁部２５，２５と左右側壁部２６，２６とからなり、そしてこの足場板部材５，７の上下側面である上側壁部２５の上面及び下側壁部２５の下面には、夫々足場板部材長さ方向全長に亘って延びる凹条部ｂと凸条部ａが足場板部材幅方向に交互に連続して条設されている。
【００１４】
また、図８の(a) は、一方の足場板本体２における足場板幅方向一端側の足場板部材４と対面する他方の足場板本体３の足場板幅方向一端側の足場板部材６を示す斜視図、(b)
はその断面図である。この足場板部材６は、上下一対の筒状部２７，２７と両筒状部２７，２７をつなぐ連結壁部２８とからなるもので、この足場板部材６の上下側面である上部筒状部２７の上面及び下部筒状部２７の下面には、夫々足場板部材長さ方向全長に亘って延びる凹条部ｂと凸条部ａが足場板部材幅方向に交互に連続して条設されている。
【００１５】
一方、固定枠体９，１０は、アルミ押出型材からなるもので、図２及び図４に示すように、上壁部１４と下壁部１４と左右壁部１５，１５とによって矩形枠状に形成されると共に、左右壁部１５，１５の中間部に上壁部１４と下壁部１４とをつなぐ補強用支持壁部１６が設けられている。
【００１６】
そして、上記固定枠体９，１０には、固定される各足場板部材４，５，５，５，５及び６，７，７，７，８の上下側面が夫々当接する上下各壁部１４の内面所要部に、足場板部材４，５，６，７，８の凹条部ｂ及び凸条部ａと凹凸係合する凸条部Ａ及び凹条部Ｂが形成されている。
【００１７】
即ち、図２に示す固定枠体９には、一方の足場板本体２を構成する足場板部材４，５，５，５，５の外端部が固定されるが、この固定枠体９の上下各壁部１４の夫々内面には足場板部材４，５，５，５，５の夫々上下側面が当接する箇所に夫々、凸条部Ａと凹条部Ｂとが交互に形成されていて、図２に示すように各足場板部材４，５，５，５，５の上下側面に形成された凹条部ｂ及び凸条部ａが固定枠体９の凸条部Ａ及び凹条部Ｂに凹凸係合し、この係合状態で固定枠体９の上下各壁部１４から各足場板部材４，５，５，５，５の外端部の上下側面に対しビス１３がねじ込まれて固定されるようになっている。
【００１８】
また図４に示す固定枠体１０には、他方の足場板本体３を構成する足場板部材６，７，７，７，８の外端部が固定されるが、この固定枠体１０の上下各壁部１４の夫々内面には足場板部材６，７，７，７，８の夫々上下側面が当接する箇所に夫々、凸条部Ａと凹条部Ｂとが交互に形成されていて、図４に示すように各足場板部材６，７，７，７，８の上下側面に形成された凹条部ｂ及び凸条部ａが固定枠体１０の凸条部Ａ及び凹条部Ｂに凹凸係合し、この係合状態で固定枠体１０の上下各壁部１４から各足場板部材６，７，７，７，８の外端部の上下側面に対しビス１３がねじ込まれて固定されるようになっている。
【００１９】
また、案内兼用固定枠体１１，１２も、固定枠体９，１０と同様にアルミ押出型材からなるもので、図３及び図５に示すように、上壁部１４と下壁部１４と左右壁部１５，１５とによって矩形枠状に形成されると共に、左右壁部１５，１５の中間部に上壁部１４と下壁部１４とをつなぐ補強用支持壁部１６が設けられている。
【００２０】
即ち、図３に示す案内兼用固定枠体１１には、一方の足場板本体２を構成する足場板部材４，５，５，５，５の内端部が固定されるが、この案内兼用固定枠体１１の上下各壁部１４の夫々内面にも足場板部材４，５，５，５，５の夫々上下側面が当接する箇所に夫々、凸条部Ａと凹条部Ｂとが交互に形成されていて、この図３に示すように各足場板部材４，５，５，５，５の上下側面に形成された凹条部ｂ及び凸条部ａが案内兼用固定枠体１１の凸条部Ａ及び凹条部Ｂに凹凸係合し、この係合状態で案内兼用固定枠体１１の上下各壁部１４から各足場板部材４，５，５，５，５の外端部の上下側面に対しビス１３がねじ込まれて固定されるようになっている。
【００２１】
また図５に示す案内兼用固定枠体１２には、他方の足場板本体３を構成する足場板部材６，７，７，７，８の内端部が固定されるが、この案内兼用固定枠体１２の上下各壁部１４の夫々内面には足場板部材６，７，７，７，８の夫々上下側面が当接する箇所に夫々、凸条部Ａと凹条部Ｂとが交互に形成されていて、この図５に示すように各足場板部材６，７，７，７，８の上下側面に形成された凹条部ｂ及び凸条部ａが案内兼用固定枠体１２の凸条部Ａ及び凹条部Ｂに凹凸係合し、この係合状態で固定枠体１２の上下各壁部１４から各足場板部材６，７，７，７，８の外端部の上下側面に対しビス１３がねじ込まれて固定されるようになっている。
【００２２】
図１に示すように、両足場板本体２，３の足場板長さ方向両端部には、夫々棒状体からなる伸縮操作用ハンドル２５，２６が設けられている。一方のハンドル２５は、一方の足場板本体２を構成する足場板部材４，５，５，５，５の足場板幅方向両端部の足場板部材４，５の先端部間にブラケット２７，２７を介して横架され、また他方のハンドル２６は、他方の足場板本体３を構成する足場板部材６，７，７，７，８の足場板幅方向両端部の足場板部材６，８の先端部間にブラケット２７，２７を介して横架される。即ち、一方の足場板本体２では、足場板幅方向両端部の足場板部材４，５の先端部間にハンドル２５が横架されるため、その中間の足場板部材７，７，７の夫々先端部が切除され、そしてこれら先端部が切除された足場板部材７，７，７とその両端側の足場板部材４，５とが固定枠体９によって相互に連結され、また他方の足場板本体２では、足場板幅方向両端部の足場板部材６，８の先端部間にハンドル２６が横架されるため、その中間の足場板部材７，７，７の夫々先端部が切除され、これら先端部が切除された足場板部材７，７，７とその両端側の足場板部材６，８とが固定枠体１０によって相互に連結される。
【００２３】
また、図１の(a) に示すように、一方の足場板本体２における足場板幅方向一端側の足場板部材４と、この足場板部材６に対向する、他方の足場板本体３の足場板幅方向一端側の足場板部材６との間には、両方の足場板本体２，３を所要の伸縮位置にロックするためのロック装置Ｒが介装されている。尚、この伸縮式足場板１は、その上面側と下面側とは同じ形状であって、上下何れの側を上向きにして使用することができる。
【００２４】
以上説明したように、この伸縮式足場板１にあっては、各足場板本体２，３の足場板部材４，５，６，７，８の上下各側面には凹条部ｂと凸条部ａとが足場板部材長さ方向全長に亘って条設され、固定枠体９，１０及び案内兼用固定枠体１１，１２には、固定される各足場板部材の上下側面が当接する上下各壁部１４の内面所要部に、足場板部材の凹条部ｂ及び凸条部ａと凹凸係合する凸条部Ａ及び凹条部Ｂが形成されていて、例えば図２に示す固定枠体９のように、各足場板部材４，５，５，５，５の上下側面に形成された凹条部ｂと凸条部ａが、固定枠体９の上下各壁部１４の夫々の内面所要箇所に設けられた凸条部Ａ及び凹条部Ｂに凹凸係合し、この係合状態で固定枠体９の上下各壁部１４から各足場板部材４，５，５，５，５の上下側面に対しビス１３がねじ込まれて固定されるようになっているから、伸縮式足場板１の使用中に、足場板１の上を歩いたり作業したりする作業員の荷重等によって各足場板本体２，３の固定枠体９，１０や案内兼用固定枠体１１，１２に足場板幅方向の水平力が繰り返し作用しても、その水平力は、固定枠体９，１０や案内兼用固定枠体１１，１２側の凸条部Ａ及び凹条部Ｂと、これに凹凸係合する足場板部材４，５，６，７，８側の凹条部ｂ及び凸条部ａとによって受け止められ、従って足場板部材４，５，６，７，８のビス取付部（リベットの場合はその取付部）にガタが生じたり、その取付部が破損するなどの不都合がない。
【００２５】
上記のように伸縮式足場板１の使用時に足場板本体２，３の足場板部材４，５，６，７，８に作用する足場板幅方向の水平力は、案内兼用固定枠体１１，１２の設けられる足場板本体２，３の内端部よりも、固定枠体９，１０の設けられる外端部に大きく作用する傾向にあるが、この伸縮式足場板１にあっては、上記凸条部Ａ及び凹条部Ｂと凹条部ｂ及び凸条部ａとの凹凸係合構造は、案内兼用固定枠体１１，１２のみならず、固定枠体９，１０にも設けられているので、足場板本体２，３の外端部に生じる足場板幅方向の水平力を固定枠体９，１０のところで確実に受け止めることができる。
【００２６】
また、上記伸縮式足場板１にあっては、固定枠体９，１０及び案内兼用固定枠体１１，１２には、夫々左右壁部１５，１５の中間部に上壁部１４と下壁部１４とをつなぐ補強用支持壁部１６が設けられているから、この支持壁部１６の補強効果によって、伸縮式足場板１の使用中に固定枠体９，１０及び案内兼用固定枠体１１，１２にかかる上下方向に荷重や足場板幅方向の荷重で固定枠体９，１０及び案内兼用固定枠体１１，１２が変形したり、破損するようなことがなくなり、足場板１の使用寿命を延ばすことができる。
【図面の簡単な説明】
【００２７】
【図１】(a) は本発明に係る伸縮式足場板の斜視図、(b) は同伸縮式足場板の平面図である。
【図２】図１の(b) のＸ−Ｘ線拡大断面図である。
【図３】図１の(b) のＹ−Ｙ線拡大断面図である。
【図４】図１の(b) のＶ−Ｖ線拡大断面図である。
【図５】図１の(b) のＷ−Ｗ線拡大断面図である。
【図６】足場板本体の構成する足場板部材の一部を示す拡大斜視図、(b) はその拡大断面図である。
【図７】足場板本体の構成する足場板部材の他の一部を示す拡大斜視図、(b) はその拡大断面図である。
【図８】足場板本体の構成する足場板部材の他の一部を示す拡大斜視図、(b) はその拡大断面図である。
【符号の説明】
【００２８】
１            伸縮式足場板
２，３        足場板本体
４            足場板部材
５            足場板部材
６            足場板部材
７            足場板部材
８            足場板部材
ａ            足場板部材側の凸条部
ｂ            足場板部材側の凹条部
Ａ            固定枠体側の凸条部
Ｂ            固定枠体側の凹条部
９，１０      固定枠体
１１，１２    案内兼用固定枠体
１４          固定枠体及び案内兼用固定枠体の上下壁部
１５          固定枠体及び案内兼用固定枠体の左右壁部
１６          固定枠体及び案内兼用固定枠体の補強用支持壁部
【図１】
2008008100.tif 000003
【図２】
2008008100.tif 000004
【図３】
2008008100.tif 000005
【図４】
2008008100.tif 000006
【図５】
2008008100.tif 000007
【図６】
2008008100.tif 000008
【図７】
2008008100.tif 000009
【図８】
2008008100.tif 000010